(57)【要約】  実装面における配線ピッチが小さな多層配線基板を提供する。  多層配線基板１は、基板本体１２と、複数の配線１４とを備えている。基板本体１２は、第１及び第２の主面１２ａ、１２ｂを有する。複数の配線１４は、基板本体１２内において、第１の主面１２ａから第２の主面１２ｂ側に向かって設けられている。基板本体１２は、積層された複数の絶縁体層１３を有する。配線１４は、複数の絶縁体層１３のそれぞれに設けられたビア導体１５を含む。複数の配線１４の少なくとも一つにおいて、基板本体１２の第１の主面１２ａを構成している絶縁体層である第１の絶縁体層１３ａに設けられたビア導体１５ａの径は、複数の絶縁体層１３の第１の絶縁体層１３ａ以外の絶縁体層の少なくとも一つに設けられているビア導体１５の径よりも小さい。
2013058351.tif 000002
【特許請求の範囲】
【請求項１】
第１及び第２の主面を有する基板本体と、前記基板本体内において、前記第１の主面から前記第２の主面側に向かって設けられている複数の配線とを備える多層配線基板であって、
前記基板本体は、積層された複数の絶縁体層を有し、
前記配線は、前記複数の絶縁体層のそれぞれに設けられたビア導体を含み、
前記複数の配線の少なくとも一つにおいて、前記基板本体の前記第１の主面を構成している絶縁体層である第１の絶縁体層に設けられた前記ビア導体の径は、前記複数の絶縁体層の前記第１の絶縁体層以外の絶縁体層の少なくとも一つに設けられているビア導体の径よりも小さい、多層配線基板。
【請求項２】
前記複数の配線の少なくともひとつにおいて、前記第１の絶縁体層に設けられた前記ビア導体の径は、前記複数の絶縁体層の前記第１の絶縁体層以外の絶縁体層のいずれに設けられたビア導体の径よりも小さい、請求項１に記載の多層配線基板。
【請求項３】
前記第１の絶縁体層の厚みは、前記複数の絶縁体層の前記第１の絶縁体層以外の絶縁体層の少なくともひとつの厚みよりも小さい、請求項１または２のいずれか一項に記載の多層配線基板。
【請求項４】
前記第１の絶縁体層の厚みは、前記複数の絶縁体層の前記第１の絶縁体層以外の絶縁体層のそれぞれの厚みよりも小さい、請求項１〜３のいずれか一項に記載の多層配線基板。
【請求項５】
前記第１の主面には、隣り合う前記配線間に位置する凹部が設けられている、請求項１〜４のいずれか一項に記載の多層配線基板。
【請求項６】
前記凹部は当該隣り合う配線のそれぞれが壁面に露出するように設けられている、請求項５に記載の多層配線基板。
【請求項７】
第１及び第２の主面を有する基板本体と、前記基板本体内において、前記第１の主面から前記第２の主面側に向かって設けられている複数の配線とを有する多層配線基板であって、
前記第１の主面には、隣り合う前記配線間に位置する凹部が設けられている、多層配線基板。
【請求項８】
前記凹部は当該隣り合う配線のそれぞれが壁面に露出するように設けられている、請求項７に記載の多層配線基板。
【請求項９】
前記凹部は、前記配線の前記第１の主面の露出部を包囲するように設けられている、請求項５〜８のいずれか一項に記載の多層配線基板。
【請求項１０】
前記基板本体は、積層された複数の絶縁体層を有し、
前記配線は、前記複数の絶縁体層のそれぞれに設けられたビア導体を含む、請求項７〜９のいずれか一項に記載の多層配線基板。
【請求項１１】
前記第１の主面を構成している絶縁体層に設けられたビア導体は、前記絶縁体層の前記第１の主面とは反対側の表面から前記第１の主面側に向かって太くなる形状を有する部分を有する、請求項７〜１０のいずれか一項に記載の多層配線基板。
【請求項１２】
前記凹部は、前記第１の主面を構成している前記絶縁体層の前記第１の主面とは反対側の表面にまで至るように設けられている、請求項５〜１１のいずれか一項に記載の多層配線基板。
【請求項１３】
隣り合う前記配線間の距離は、前記第１の主面側から前記第２の主面側に向かって広がっている、請求項１〜１２のいずれか一項に記載の多層配線基板。
【請求項１４】
前記複数のビア導体の少なくともひとつは、前記第２の主面側から前記第１の主面側に向かって先細るテーパ状である、請求項１〜１３のいずれか一項に記載の多層配線基板。
【請求項１５】
前記各配線は、前記複数のビア導体が直接電気的に接続されることにより構成されている、請求項１〜１４のいずれか一項に記載の多層配線基板。
【請求項１６】
前記ビア導体は、前記ビア導体の中心軸が前記絶縁体層の厚み方向に沿うように設けられている、請求項１〜１５のいずれか一項に記載の多層配線基板。
【請求項１７】
前記複数の配線の少なくともひとつは、厚み方向に隣り合う前記ビア導体の壁面の少なくとも一部が連続している部分を含む、請求項１〜１６のいずれか一項に記載の多層配線基板。
【請求項１８】
前記複数の配線の少なくともひとつは、厚み方向に隣り合う前記ビア導体が全体として前記第２の主面側から前記第１の主面側に向けて先細るテーパ状となっている部分を含む、請求項１〜１７のいずれか一項に記載の多層配線基板。
【請求項１９】
請求項１〜１８のいずれか一項に記載の多層配線基板を備えるプローブカード。
【請求項２０】
請求項１〜１８のいずれか一項に記載の多層配線基板の製造方法であって、
前記絶縁体層を構成するためのセラミックグリーンシートを複数用意する工程と、
前記複数のセラミックグリーンシートに貫通孔を形成する工程と、
前記貫通孔内に、前記ビア導体を構成するための導電性ペーストを充填する工程と、
前記導電性ペーストが貫通孔内に充填された複数のセラミックグリーンシートを積層し、生の積層体を作製する工程と、
前記生の積層体を焼成することにより多層配線基板を得る工程と、
を備え、
前記貫通孔を、前記セラミックグリーンシートにレーザー光を照射することにより行う、多層配線基板の製造方法。
【請求項２１】
一の前記セラミックグリーンシートに対して、前記貫通孔を、隣り合う貫通孔が一主面側において接続されるように複数形成し、
前記一のセラミックグリーンシートを、一主面が前記生の積層体の主面を構成するように、最外層に積層する、請求項２０に記載の多層配線基板の製造方法。
【発明の詳細な説明】
【技術分野】
【０００１】
本発明は、多層配線基板、それを備えるプローブカード及び多層配線基板の製造方法に関する。
【背景技術】
【０００２】
従来、主面上にＩＣなどが搭載される多層配線基板が広く用いられている。多層配線基板には、実装面から裏面にまで至る配線が複数配されている。複数の配線のそれぞれは、電気的に接続された複数のビア導体により構成されている。【０００３】
例えば特許文献１及び特許文献２には、実装面における配線ピッチが裏面における配線ピッチよりも小さな多層配線基板が記載されている。
【先行技術文献】
【特許文献】
【０００４】
【特許文献１】特開２００８−３００４８２号公報
【特許文献２】特開２００８−１６４５７７号公報
【発明の概要】
【発明が解決しようとする課題】
【０００５】
近年、多層配線基板に実装されるＩＣ等の電子部品の小型化がさらに進んできている。これに伴い、実装面における配線ピッチをさらに小さくしたいという要望がある。【０００６】
本発明は、実装面における配線ピッチが小さな多層配線基板を提供することにある。
【課題を解決するための手段】
【０００７】
本発明に係る第１の多層配線基板は、基板本体と、複数の配線とを備える。基板本体は、第１及び第２の主面を有する。複数の配線は、基板本体内において、第１の主面から第２の主面側に向かって設けられている。基板本体は、積層された複数の絶縁体層を有する。配線は、複数の絶縁体層のそれぞれに設けられたビア導体を含む。複数の配線の少なくとも一つにおいて、基板本体の第１の主面を構成している絶縁体層である第１の絶縁体層に設けられたビア導体の径は、複数の絶縁体層の第１の絶縁体層以外の絶縁体層の少なくとも一つに設けられているビア導体の径よりも小さい。【０００８】
本発明に係る第１の多層配線基板のある特定の局面では、複数の配線の少なくともひとつにおいて、第１の絶縁体層に設けられたビア導体の径は、複数の絶縁体層の第１の絶縁体層以外の絶縁体層のいずれに設けられたビア導体の径よりも小さい。【０００９】
本発明に係る第１の多層配線基板の別の特定の局面では、第１の絶縁体層の厚みは、複数の絶縁体層の第１の絶縁体層以外の絶縁体層の少なくともひとつの厚みよりも小さい。【００１０】
本発明に係る第１の多層配線基板の他の特定の局面では、第１の絶縁体層の厚みは、複数の絶縁体層の第１の絶縁体層以外の絶縁体層のそれぞれの厚みよりも小さい。【００１１】
本発明に係る第１の多層配線基板のさらに他の特定の局面では、第１の主面には、隣り合う配線間に位置する凹部が設けられている。【００１２】
本発明に係る第１の多層配線基板のさらに別の特定の局面では、凹部は当該隣り合う配線のそれぞれが壁面に露出するように設けられている。【００１３】
本発明に係る第２の多層配線基板は、基板本体と、複数の配線とを備える。基板本体は、第１及び第２の主面を有する。複数の配線は、基板本体内において、第１の主面から第２の主面側に向かって設けられている。第１の主面には、隣り合う配線間に位置する凹部が設けられている。【００１４】
本発明に係る第２の多層配線基板のある特定の局面では、凹部は当該隣り合う配線のそれぞれが壁面に露出するように設けられている。【００１５】
本発明に係る第１及び第２の多層配線基板のそれぞれのある特定の局面では、凹部は、配線の第１の主面の露出部を包囲するように設けられている。【００１６】
本発明に係る第２の多層配線基板の別の特定の局面では、基板本体は、積層された複数の絶縁体層を有する。配線は、複数の絶縁体層のそれぞれに設けられたビア導体を含む。【００１７】
本発明に係る第２の多層配線基板の他の特定の局面では、第１の主面を構成している絶縁体層に設けられたビア導体は、絶縁体層の第１の主面とは反対側の表面から第１の主面側に向かって太くなる形状を有する部分を有する。【００１８】
本発明に係る第１及び第２の多層配線基板のそれぞれのある特定の局面では、凹部は、第１の主面を構成している絶縁体層の第１の主面とは反対側の表面にまで至るように設けられている。【００１９】
本発明に係る第１及び第２の多層配線基板のそれぞれの他の特定の局面では、隣り合う配線間の距離は、第１の主面側から第２の主面側に向かって広がっている。【００２０】
本発明に係る第１及び第２の多層配線基板のそれぞれの別の特定の局面では、複数のビア導体の少なくともひとつは、第２の主面側から第１の主面側に向かって先細るテーパ状である。【００２１】
本発明に係る第１及び第２の多層配線基板のそれぞれのさらに他の特定の局面では、各配線は、複数のビア導体が直接電気的に接続されることにより構成されている。【００２２】
本発明に係る第１及び第２の多層配線基板のそれぞれのさらに別の特定の局面では、ビア導体は、ビア導体の中心軸が絶縁体層の厚み方向に沿うように設けられている。【００２３】
本発明に係る第１及び第２の多層配線基板のそれぞれのさらにまた他の特定の局面では、複数の配線の少なくともひとつは、厚み方向に隣り合うビア導体の壁面の少なくとも一部が連続している部分を含む。【００２４】
本発明に係る第１及び第２の多層配線基板のそれぞれのさらにまた別の特定の局面では、複数の配線の少なくともひとつは、厚み方向に隣り合うビア導体が全体として第２の主面側から第１の主面側に向けて先細るテーパ状となっている部分を含む。【００２５】
本発明に係るプローブカードは、本発明に係る第１または第２の多層配線基板を備えている。【００２６】
本発明に係る多層配線基板の製造方法は、本発明に係る第１または第２の多層配線基板の製造方法に関する。本発明に係る多層配線基板の製造方法では、絶縁体層を構成するためのセラミックグリーンシートを複数用意する。複数のセラミックグリーンシートに貫通孔を形成する。貫通孔内に、ビア導体を構成するための導電性ペーストを充填する。導電性ペーストが貫通孔内に充填された複数のセラミックグリーンシートを積層し、生の積層体を作製する。生の積層体を焼成することにより多層配線基板を得る。貫通孔を、セラミックグリーンシートにレーザー光を照射することにより行う。【００２７】
本発明に係る多層配線基板の製造方法のある特定の局面では、一のセラミックグリーンシートに対して、貫通孔を、隣り合う貫通孔が一主面側において接続されるように複数形成する。一のセラミックグリーンシートを、一主面が生の積層体の主面を構成するように、最外層に積層する。
【発明の効果】
【００２８】
本発明によれば、実装面における配線ピッチが小さな多層配線基板を提供することができる。
【図面の簡単な説明】
【００２９】
【図１】図１は、第１の実施形態に係る多層配線基板の略図的断面図である。
【図２】図２は、第１の実施形態におけるプローブカードの略図的断面図である。
【図３】図３（ａ）は、厚い第１の絶縁体層の略図的断面図である。図３（ｂ）は、薄い第１の絶縁体層の略図的断面図である。
【図４】図４は、第２の実施形態に係る多層配線基板の略図的断面図である。
【図５】図５は、第３の実施形態に係る多層配線基板の略図的断面図である。
【図６】図６は、第４の実施形態に係る多層配線基板の略図的断面図である。
【図７】図７は、第５の実施形態に係る多層配線基板の略図的断面図である。
【図８】図８は、第６の実施形態に係る多層配線基板の略図的断面図である。
【図９】図９は、第７の実施形態に係る多層配線基板の略図的断面図である。
【図１０】図１０は、第７の実施形態に係る多層配線基板の一部分の略図的平面図である。
【図１１】図１１（ａ）は、比較例に係る多層配線基板の第１の絶縁体層の略図的断面図である。図１１（ｂ）は、第７の実施形態に係る多層配線基板の第１の絶縁体層の略図的断面図である。
【図１２】図１２は、第８の実施形態に係る多層配線基板の略図的断面図である。
【図１３】図１３は、第７の実施形態に係る多層配線基板の製造工程を説明するための略図的断面図である。
【図１４】図１４は、第７の実施形態に係る多層配線基板の製造工程を説明するための略図的断面図である。
【図１５】図１５は、第８の実施形態に係る多層配線基板の製造工程を説明するための略図的断面図である。
【図１６】図１６は、第８の実施形態に係る多層配線基板の製造工程を説明するための略図的断面図である。
【図１７】図１７は、第１の変形例に係る第１の絶縁体層の略図的断面図である。
【図１８】図１８は、第２の変形例に係る第１の絶縁体層の略図的断面図である。
【図１９】図１９は、第９の実施形態に係る多層配線基板の略図的断面図である。
【図２０】図２０は、第１０の実施形態に係る多層配線基板の略図的断面図である。
【図２１】図２１は、第１１の実施形態に係る多層配線基板の略図的断面図である。
【図２２】図２２は、第１２の実施形態に係る多層配線基板の略図的断面図である。
【図２３】図２３は、第１３の実施形態に係る多層配線基板の略図的断面図である。
【図２４】図２４は、第２の実施形態の変形例に係る多層配線基板の略図的断面図である。
【発明を実施するための形態】
【００３０】
以下、本発明を実施した好ましい形態の一例について説明する。但し、下記の実施形態は、単なる例示である。本発明は、下記の実施形態に何ら限定されない。
【００３１】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００３２】
（第１の実施形態）
（多層配線基板１の構成）
図１は、第１の実施形態に係る多層配線基板１の略図的断面図である。多層配線基板１は、実装面１ａと、裏面１ｂとを有する。多層配線基板１は、例えば、実装面１ａにＩＣチップなどの電子部品１０が実装されて使用される。また、図２に示されるように、多層配線基板１は、例えば、実装面１ａにプローブユニット１１が取り付けられ、プローブカード２として使用されることもある。
【００３３】
多層配線基板１は、基板本体１２を有する。基板本体１２は、第１及び第２の主面１２ａ、１２ｂを有する。基板本体１２の第１の主面１２ａは、実装面１ａを構成している。基板本体１２の第２の主面１２ｂは、裏面１ｂを構成している。
【００３４】
基板本体１２は、絶縁性を有する。基板本体１２は、積層された複数の絶縁体層１３を有する。絶縁体層１３の構成材料は、絶縁体である限りにおいて特に限定されない。絶縁体層１３は、例えば、絶縁性を有するセラミック材料、樹脂等により構成することができる。以下、ここでは、絶縁体層１３がセラミック材料により構成されている場合について説明する。
【００３５】
好ましく用いられるセラミック材料の具体例としては、例えば、低温焼結セラミック（ＬＴＣＣ：Ｌｏｗ  Ｔｅｍｐｅｒａｔｕｒｅ  Ｃｏ−ｆｉｒｅｄ  Ｃｅｒａｍｉｃ）材料や高温焼結セラミック（ＨＴＣＣ：Ｈｉｇｈ  Ｔｅｍｐｅｒａｔｕｒｅ  Ｃｏ−ｆｉｒｅｄ  Ｃｅｒａｍｉｃ）材料等が挙げられる。ここで、低温焼結セラミック材料とは、１０５０℃以下の温度で焼結可能であって、比抵抗の小さなＡｕ、ＡｇやＣｕ等と同時焼成が可能なセラミック材料である。
【００３６】
低温焼結セラミック材料の具体例としては、例えば、アルミナやジルコニア、マグネシア、フォルステライトなどのセラミック粉末にホウ珪酸系ガラスを混合してなるガラス複合系ＬＴＣＣ材料、ＺｎＯ−ＭｇＯ−Ａｌ２Ｏ３−ＳｉＯ２系の結晶化ガラスを用いた結晶化ガラス系ＬＴＣＣ材料、ＢａＯ−Ａｌ２Ｏ３−ＳｉＯ２系セラミック粉末やＡｌ２Ｏ３−ＣａＯ−ＳｉＯ２−ＭｇＯ−Ｂ２Ｏ３系セラミック粉末などを用いた非ガラス系ＬＴＣＣ材料などが挙げられる。
【００３７】
高温焼結セラミック材料の具体例としては、例えば、アルミナ、窒化アルミニウム、ムライト、その他のセラミックスにガラスなどの焼結助材を加えた材料であって、１１００℃以上の高温で焼結可能なセラミック材料などが挙げられる。
【００３８】
なお、絶縁体層１３の積層数や厚みは、多層配線基板１の回路構成等に応じて適宜設定することができる。絶縁体層１３の積層数は、例えば、５層〜３０層程度とすることができる。絶縁体層１３の一層の厚みは、例えば、５μｍ〜５０μｍ程度とすることができる。なお、プローブカード２として基板本体１２を用いる時には、絶縁体層１３の積層数は、例えば、２０層〜１００層程度とすることができる。絶縁体層１３の一層の厚みは例えば５μｍ〜２００μｍ程度とすることができる。
【００３９】
本実施形態では、複数の絶縁体層１３のうち、第１の主面１２ａを構成している絶縁体層である第１の絶縁体層１３ａの厚みは、複数の絶縁体層の第１の絶縁体層１３ａ以外の絶縁体層１３ｂの少なくともひとつの厚みよりも小さい。具体的には、本実施形態では、第１の絶縁体層１３ａは、複数の絶縁体層１３ｂのいずれよりも薄い。
【００４０】
絶縁体層１３ａの厚みは、複数の絶縁体層１３ｂのうち最も厚い絶縁体層の厚みの３／４以下であることが好ましく、１／２以下であることが好ましい。具体的には、絶縁体層１３ａの厚みは、７５μｍ以下であることが好ましく、５０μｍ以下であることがより好ましい。但し、絶縁体層１３ａの厚みが小さすぎると、絶縁体層１３ａの形成が困難となる。従って、絶縁体層１３ａの厚みは、５μｍ以上であることが好ましく、１０μｍ以上であることがより好ましい。
【００４１】
なお、複数の絶縁体層１３の厚みは、すべて同じであってもよいし、異なっていてもよい。即ち、複数の絶縁体層１３には、厚みの異なる複数種類の絶縁体層が含まれていてもよい。
【００４２】
基板本体１２の内部には、複数の配線１４が設けられている。複数の配線１４は、第１の主面１２ａから第２の主面１２ｂに至るように設けられている。隣り合う配線１４間の距離は、第１の主面１２ａ側（ｘ１側）から第２の主面１２ｂ側（ｘ２側）に向かって広がっている。従って、第２の主面１２ｂにおける隣り合う配線１４間の距離は、第１の主面１２ａにおける隣り合う配線１４間の距離よりも大きい。
【００４３】
配線１４は、複数の絶縁体層１３のそれぞれに設けられたビア導体１５を含む。具体的には、複数の配線１４の一部は、複数の絶縁体層１３のそれぞれに設けられたビア導体１５により構成されており、残りの一部は、複数の絶縁体層１３のそれぞれに設けられたビア導体１５と、厚み方向ｘにおいて隣り合う絶縁体層１３の界面に設けられた電極１６とにより構成されている。
【００４４】
なお、ビア導体１５及び電極１６の構成材料は、導電材料である限りにおいて特に限定されない。ビア導体１５及び電極１６のそれぞれは、例えば、Ａｇ、Ｃｕ、Ｎｉ、Ｐｔ、Ｐｄ、Ｗ、Ｍｏ及びＡｕの少なくとも１種を主成分とする金属により構成することができる。Ａｇ、Ｃｕ、Ｎｉ、Ｐｔ、Ｐｄ、Ｗ、Ｍｏ及びＡｕの複数を主成分とする金属としては、例えば、Ａｇ−Ｐｔ合金、Ａｇ−Ｐｄ合金等が挙げられる。なかでも、Ａｇ、Ａｇ−Ｐｔ合金、Ａｇ−Ｐｄ合金及びＣｕは、比抵抗が小さいため、配線１４の材料として好ましく用いられ、特に、高周波用途旨の多層配線基板１の配線１４の材料としてより好ましく用いられる。
【００４５】
なお、絶縁体層１３を、高温焼結セラミック材料により構成した場合は、Ｍｏ、Ｐｔ、Ｐｄ、Ｗ、及びＮｉからなる群から選ばれた少なくとも一種を含む金属が配線１４の構成材料として好ましく用いられる。
【００４６】
ビア導体１５は、ビア導体１５の中心軸が絶縁体層１３の厚み方向に沿うように設けられている。即ち、ビア導体１５の中心軸と絶縁体層１３の厚み方向とは平行である。
【００４７】
ビア導体１５は、第２の主面１２ｂ側（ｘ２側）から第１の主面１２ａ側（ｘ１側）に向かって先細るテーパ状である。
【００４８】
複数の配線１４の少なくともひとつにおいて、第１の絶縁体層１３ａに設けられたビア導体１５ａの径は、複数の絶縁体層１３ｂの少なくともひとつに設けられているビア導体１５の径よりも小さい。より具体的には、複数の配線１４の少なくともひとつにおいて、第１の絶縁体層１３ａに設けられたビア導体１５ａの、第１の絶縁体層１３ａの第２の主面１２ｂ側の表面における径は、複数の絶縁体層１３ｂの少なくともひとつに設けられているビア導体１５の、当該絶縁体層１３ｂの第２の主面１２ｂ側の表面における径よりも小さい。詳細には、複数の配線１４の少なくともひとつにおいて、第１の絶縁体層１３ａに設けられたビア導体１５ａの、第１の絶縁体層１３ａの第２の主面１２ｂ側の表面における径は、いずれの絶縁体層１３ｂに設けられているビア導体１５の、当該絶縁体層１３ｂの第２の主面１２ｂ側の表面における径よりも小さい。さらに詳細には、複数の配線１４のすべてにおいて、第１の絶縁体層１３ａに設けられたビア導体１５ａの、第１の絶縁体層１３ａの第２の主面１２ｂ側の表面における径は、いずれの絶縁体層１３ｂに設けられているビア導体１５の、当該絶縁体層１３ｂの第２の主面１２ｂ側の表面における径よりも小さい。
【００４９】
なお、ビア導体１５ａの直径は、例えば、２０μｍ〜１００μｍ程度とすることができる。ビア導体１５ａ以外のビア導体１５の直径は、例えば、４０μｍ〜２００μｍ程度とすることができる。ビア導体１５ａの直径は、ビア導体１５ａ以外のビア導体１５の直径の１／２倍以下であることが好ましく、１／５倍以下であることがより好ましい。
【００５０】
（多層配線基板１の製造方法）
次に、多層配線基板１の製造方法の一例について説明する。まず、絶縁体層１３を構成するためのセラミックグリーンシートを複数用意する。本実施形態では、少なくとも絶縁体層１３ａと絶縁体層１３ｂとで厚みが異なる。このため、絶縁体層１３ａを構成するためのセラミックグリーンシートと、絶縁体層１３ｂを構成するためのセラミックグリーンシートとを別個に用意する必要がある。絶縁体層１３ａを構成するためのセラミックグリーンシートは、絶縁体層１３ｂを構成するためのセラミックグリーンシートよりも薄い。
【００５１】
セラミックグリーンシートは、例えば、キャリアフィルム上にセラミックスラリーを塗布し、乾燥させることにより作製することができる。セラミックスラリーの塗布は、例えば、ドクターブレード法などの印刷法により行うことができる。
【００５２】
次に、セラミックグリーンシートにビア導体を形成するための貫通孔（ビアホール）を形成する。貫通孔は、例えば、レーザー光を照射することにより形成したり、パンチを用いて形成したりすることができる。中でも、レーザー光を用いて貫通孔を形成することが好ましい。高い位置精度及び形状精度で貫通孔を形成できるためである。なお、レーザー光による貫通孔形成は、貫通孔がセラミックグリーンシートの厚み方向に対して傾斜している場合にも可能であるが、貫通孔がセラミックグリーンシートの厚み方向に沿っている場合に特に好適である。
【００５３】
なお、レーザー光により形成した貫通孔は、レーザー光の進行方向に向かって先細るテーパ状となる。
【００５４】
次に、セラミックグリーンシートに形成された貫通孔内にビア導体を形成する。ビア導体は、例えば、導電性ペーストを貫通孔内に充填することにより形成することができる。導電性ペーストの貫通孔内への充填は、例えば、吸引や真空印刷により行うことができる。
【００５５】
次に、複数のセラミックグリーンシートを、絶縁体層１３ａを構成するためのセラミックグリーンシートが最表層となるように適宜積層し、生の積層体を作製する。生の積層体にプレスを施してもよい。
【００５６】
その後、生の積層体を焼成することにより多層配線基板１を完成させることができる。
【００５７】
以上説明したように、本実施形態では、基板本体１２の第１の主面１２ａを構成している第１の絶縁体層１３ａの厚みが、複数の絶縁体層１３の第１の絶縁体層１３ａ以外の絶縁体層１３ｂの少なくともひとつ、より具体的には全ての絶縁体層１３ｂの厚みよりも小さい。従って、実装面１ａにおける配線１４のピッチを小さくすることができる。この理由について、図３（ａ）及び図３（ｂ）を参照しながら詳細に説明する。
【００５８】
図３（ａ）に示されるように、第１の絶縁体層１１３ａが厚い場合は、主面１１３ａ２におけるビア導体１１５ａの径Ｒ２が、主面１１３ａ１におけるビア導体１１５ａの径Ｒ１に対して大きいため、径Ｒ２を大きくする必要がある。これは、確実な電気的接続を確保するために、径Ｒ１をある程度以上の大きさにしなければならないためである。
【００５９】
一方、図３（ｂ）に示されるように、第１の絶縁体層１３ａが薄い場合は、主面１３ａ２におけるビア導体１５ａの径Ｒ３は、主面１３ａ１におけるビア導体１５ａの径Ｒ１に対して、図３（ａ）に示す場合ほど大きくない。即ち、Ｒ３＜Ｒ２とすることができる。よって、ビア導体１５ａの中心間距離Ｌ３＝Ｌ２＋Ｒ３＜ビア導体１１５ａの中心間距離Ｌ１＝Ｌ２＋Ｒ２となる。このことより、絶縁体層１３ａの厚みを絶縁体層１３ｂの少なくともひとつの厚みよりも小さくすることにより、実装面１ａにおける配線１４のピッチを小さくできることが分かる。実装面１ａにおける配線１４のピッチをより小さくする観点からは、絶縁体層１３ａの厚みをいずれの絶縁体層１３ｂの厚みよりも小さくすることが好ましい。なお、中心間距離Ｌ２は穴あけのメカパンチやレーザーの加工精度により決まる因子であり同じ値となる。
【００６０】
また、実装面１ａにおける配線１４のピッチをより小さくする観点からは、配線１４において、第１の絶縁体層１３ａに設けられたビア導体１５ａの径（詳細には、絶縁体層１３ａの第２の主面１２ｂ側の表面におけるビア導体１５ａの径Ｒ３）が、ビア導体１５ａ以外のビア導体１５の少なくともひとつの径（詳細には、絶縁体層１３ｂの第２の主面１２ｂ側の表面におけるビア導体１５の径）よりも小さいことが好ましく、ビア導体１５ａ以外のいずれのビア導体１５の径よりも小さいことがより好ましい。この場合、隣り合うビア導体１５ａの中心間距離Ｌ３（＝Ｌ２＋Ｒ３）をより小さくできるためである。
【００６１】
また、本実施形態では、ビア導体１５が第２の主面１２ｂ側から第１の主面１２ａ側に向かって先細るテーパ状である。このため、第１の主面１２ａにおける配線１４間の距離を狭くしつつ、第２の主面１２ｂにおける配線１４間の距離を広くしやすい。
【００６２】
以下、本発明の好ましい実施形態の他の例について説明する。以下の説明において、上記第１の実施形態と実質的に共通の機能を有する部材を共通の符号で参照し、説明を省略する。
【００６３】
（第２及び第３の実施形態）
図４は、第２の実施形態に係る多層配線基板の略図的断面図である。図５は、第３の実施形態に係る多層配線基板の略図的断面図である。
【００６４】
第１の実施形態では、配線１４に、厚み方向において隣り合う絶縁体層１３ｂの界面に配された電極１６が含まれている。第２の実施形態に係る多層配線基板３は、図４に示されるように、配線１４が、相互に直接電気的に接続された複数のビア導体１５によって構成されており、界面電極を有さない点において第１の実施形態に係る多層配線基板１と異なる。
【００６５】
本実施形態では、配線１４が複数のビア導体１５のみによって構成されているため、優れた高周波特性を実現することができる。
【００６６】
但し、本発明は、この構成に限定されない。例えば、図５に示す第３の実施形態に係る多層配線基板４のように、厚み方向において隣接するビア導体１５が、電極１６を介して電気的に接続されていてもよい。
【００６７】
また、図２４に示されるように、最上層に位置するビア導体１５ａの全体が、その下層に位置するビア導体１５の上に設けられていてもよい。
【００６８】
（第４の実施の形態）
図６は、第４の実施形態に係る多層配線基板の略図的断面図である。第４の実施の形態においては、絶縁体層１３は全て同じ厚みであり、最上層に配置される絶縁層を除く他の絶縁体層１３には、絶縁体層１３の少なくとも２層にわたって、連続して形成されるビア導体１５が複数配置されている。このような構成を備えることにより、同じ厚みの絶縁層１３を用いることにより、第１の絶縁体層１３ａに設けられたビア導体１５ａのビア径を他のビア導体１５と比較して、相対的に小さくすることができる。
【００６９】
（第５及び第６の実施形態）
図７は、第５の実施形態に係る多層配線基板の略図的断面図である。図８は、第６の実施形態に係る多層配線基板の略図的断面図である。
【００７０】
図７及び図８に示されるように、第５及び第６の実施形態に係る多層配線基板５，６では、複数の配線１４の少なくともひとつは、厚み方向において隣り合うビア導体１５の壁面の少なくとも一部が連続している部分を含んでいる。このため、より優れた高周波特性が実現されている。
【００７１】
さらに、多層配線基板６では、複数の配線１４の少なくともひとつは、厚み方向において隣り合うビア導体１５が全体として第２の主面１２ｂ側から第１の主面１２ａ側に向けて先細るテーパ状となっている部分を含んでいる。このため、さらに優れた高周波特性が実現されている。
【００７２】
なお、さらに優れた高周波特性を実現する観点からは、配線１４の全体が、第２の主面１２ｂ側から第１の主面１２ａ側に向けて先細るテーパ状となっていることが好ましい。但し、この場合は、配線１４の第２の主面１２ｂにおける径が大きくなりすぎる場合がある。このため、配線１４は、厚み方向において隣り合うビア導体１５が全体として第２の主面１２ｂ側から第１の主面１２ａ側に向けて先細るテーパ状となっている部分を複数含むことが好ましい。
【００７３】
（第７及び第８の実施形態）
図９は、第７の実施形態に係る多層配線基板７の略図的断面図である。図１０は、第７の実施形態に係る多層配線基板の一部分の略図的平面図である。図１２は、第８の実施形態に係る多層配線基板の略図的断面図である。なお、第８の実施形態において、図１０を第７の実施形態と共通に参照する。
【００７４】
第７及び第８の実施形態に係る多層配線基板７，８は、第１の絶縁性基板１３ａ及びビア導体１５ａの構成を除いては、第１の実施形態に係る多層配線基板１と実質的に同様の構成を有する。従って、ここでは、多層配線基板７，８と多層配線基板１との相違点のみを説明し、その他に関しては、第１の実施形態の記載を援用するものとする。
【００７５】
第７及び第８の実施形態では、実装面１ａを構成している第１の主面１２ａには、少なくともひとつの凹部２１が設けられている。凹部２１は、第１の主面１２ａにおいて、隣り合う配線１４間に位置している。具体的には、図１０に示されるように、第１の主面１２ａにおいて、配線１４は、マトリクス状に配されている。配線１４のｙ方向に沿ったピッチが相対的に狭く、配線１４のｚ方向に沿ったピッチが相対的に広い。本実施形態では、凹部２１は、ｙ方向において隣り合う配線１４間に配されており、ｚ方向において隣り合う配線１４間には配されていない。もっとも、本発明においては、凹部は、隣り合う配線１４の間のすべてに設けられていてもよい。また、凹部は、配線の第１の主面の露出部を包囲するように、例えば格子状に設けられていてもよい。
【００７６】
本実施形態では、凹部の平面視における形状は円形であるが、凹部の形状は特に限定されない。凹部は、例えば、矩形状、多角形状、楕円形状、長円形状であってもよいし、配線１４に沿った形状であってもよい。
【００７７】
凹部２１は、図９に示されるように、第１の絶縁体層１３ａの第１の主面１２ａとは反対側の表面にまで至らないように設けられていてもよいし、図１２に示されるように、第１の絶縁体層１３ａの第１の主面１２ａとは反対側の表面に至るように設けられていてもよい。
【００７８】
なお、本実施形態においても、第１〜第６の実施形態と同様に、第１の絶縁体層１３ａの厚みが、複数の絶縁体層１３ｂの少なくとも一つの厚みより小さいことが好ましく、いずれの絶縁体層１３ｂの厚みよりも小さいことがさらに好ましい。但し、第１の絶縁体層１３ａの厚みが、複数の絶縁体層１３ｂの少なくとも一つの厚みよりも小さい必要は必ずしもない。例えば、第１の絶縁体層１３ａの厚みは、絶縁体層１３ｂの厚みと同じであってもよい。
【００７９】
本実施形態では、第１の絶縁体層１３ａに設けられているビア導体１５ａは、実装面１ａ（第１の主面１２ａ）側（ｘ１側）から裏面１ｂ（第２の主面１２ｂ）側（ｘ２側）に向かって先細る部分を有する。具体的には、ビア導体１５ａは、ｘ１側からｘ２側に向かって、一旦太くなった後に、細くなる形状を有している。ビア導体１５ａのｘ２側に向かって太くなっている部分は、凹部２１に露出している部分である。
【００８０】
例えば、図１１（ａ）に示されるように、絶縁体層２１３ａに、表面２１３ａ１から離れるに従って先細る形状のビア導体２１５ａを設けた場合、表面２１３ａ１における隣り合うビア導体２１５ａ間の距離Ｌ１１は、表面２１３ａ１におけるビア導体２１５ａの直径よりも大きくする必要がある。隣り合うビア導体２１５ａ同士が短絡してしまうためである。従って、距離Ｌ１１を小さくすることが困難である。
【００８１】
それに対して本実施形態では、図１１（ｂ）に示されるように、隣り合うビア導体１５ａ間に凹部２１が設けられているため、隣り合うビア導体１５ａ間の距離Ｌ１２を短くした場合であっても、隣り合うビア導体１５ａ同士が短絡しない。このため、距離Ｌ１２を短くすることができる。例えば、距離Ｌ１２を表面１３ａ１におけるビア導体１５ａの直径よりも短くすることができる。従って、実装面１ａにおける隣り合う配線１４間のピッチを小さくすることができる。
【００８２】
多層配線基板７，８の製造に際しては、図１３または図１５に示されるように、まず、第１の絶縁体層１３ａを構成するためのセラミックグリーンシート２２に複数のビア導体１５ａを形成する。その後、図１４または図１６に示されるように、凹部２１を形成する。ビア導体１５ａは、まず貫通孔を形成した後に、導電ペーストを貫通孔に充填することにより形成することができる。貫通孔を形成するに際しては、図１３に示されるように、隣り合う貫通孔が接触しないように複数の貫通孔を形成してもよい。また、図１４に示されるように、貫通孔を、隣り合う貫通孔がセラミックグリーンシート２２の表面において接続されるように複数の貫通孔を形成してもよい。そのようにすることによって、配線１４のピッチをより狭くすることができる。なお、この場合は、導電剤を充填した直後は、隣り合うビア導体同士が接続された状態となる。しかしながら、凹部２１を形成するため、最終的には、隣り合うビア導体同士は、電気的に絶縁された状態となる。
【００８３】
なお、凹部２１の形成を、積層体を形成する前に行ってもよいし、積層体を形成した後に行ってもよい。
【００８４】
なお、本実施形態においては、隣り合うビア導体の一部を除去するように凹部を形成する構成を説明しているが、図１７、図１８のように、隣り合うビア導体１５ａを除去することなく、隣り合うビア導体１５ａ間に凹部２１を設けてもよい。多層配線基板を作製する際、隣り合うビア導体１５ａ間の距離を短くすると、セラミックグリーンシートの貫通孔に一方主面側から導電性ペーストを充填する工程において、セラミックグリーンシートの他方主面側において、導電性ペーストが滲み短絡するという問題があったため、隣り合うビア導体１５ａ間の距離を短くするには限界がある。しかし、本実施形態においては、貫通孔に導電性ペーストを充填した後、セラミックグリーンシートの他方主面側の隣り合うビア導体間に凹部を形成する工程を経ることにより、隣り合うビア導体間を電気的に絶縁された状態とすることができるため、従来よりも隣り合うビア導体１５ａ間の距離を短くすることができる、すなわち、配線ピッチを小さくすることができる。
【００８５】
（第９〜第１１の実施形態）
図１９は、第９の実施形態に係る多層配線基板の略図的断面図である。図２０は、第１０の実施形態に係る多層配線基板の略図的断面図である。図２１は、第１１の実施形態に係る多層配線基板の略図的断面図である。
【００８６】
図１９に示されるように、第９の実施形態では、第２の実施形態と同様に、配線１４が、相互に直接電気的に接続された複数のビア導体１５によって構成されており、界面電極を有さない点において第７の実施形態に係る多層配線基板７と異なる。
【００８７】
本実施形態では、配線１４が複数のビア導体１５のみによって構成されているため、優れた高周波特性を実現することができる。
【００８８】
図２０に示されるように、第１０の実施形態では、複数の配線１４の少なくともひとつは、厚み方向において隣り合うビア導体１５の壁面の少なくとも一部が連続している部分を含んでいる。このため、より優れた高周波特性が実現されている。
【００８９】
さらに、第１１の実施形態では、複数の配線１４の少なくともひとつは、厚み方向において隣り合うビア導体１５が全体として第２の主面１２ｂ側から第１の主面１２ａ側に向けて先細るテーパ状となっている部分を含んでいる。ビア導体１５の側面に折れ曲がりがなく直線状であるため、さらに優れた高周波特性が実現されている。
【００９０】
（第１２の実施形態）
図２２は第１２の実施形態に係る多層配線基板の略図的断面図である。図２２に示されるように、第１２の実施形態では、第１の実施形態と同様に、基板本体１２の内部に複数の配線１４を構成するビア導体１５が配置されているが、基板本体１２の途中でビア導体１５のテーパの向きが反転していることが異なる。少なくとも、第２の主面１２ｂを構成する絶縁体層１３のビア導体１５が第１の主面１２ａ側（ｘ１側）から第１の主面１２ａ側（ｘ２側）に向かって細るテーパ状にすることにより、第２の主面１２ｂにおける配線１４間の距離をより広くすることができる。
【００９１】
（第１３の実施形態）
図２３は、第１３の実施形態に係る多層配線基板の略図的断面図である。図２３に示されるように、複数の配線１４を、第１の主面１２ａから第２の主面１２ｂ側に向かって基板本体１２の内部に形成するものの、第２の主面１２ｂには至らないようにしてもよい。この場合、複数の配線１４が形成されていない少なくともひとつの絶縁体層１３ｃに、他の回路１７ａ、１７ｂを設けることができる。このような場合であっても、上記実施形態等と同様の効果が奏される。
【符号の説明】
【００９２】
１，３〜８…多層配線基板
１ａ…実装面
１ｂ…裏面
２…プローブカード
１０…電子部品
１１…端子部
１２…基板本体
１２ａ…第１の主面
１２ｂ…第２の主面
１３、１３ａ、１３ｂ…絶縁体層
１４…配線
１５…ビア導体
１６…電極
２１…凹部
２２…セラミックグリーンシート
【図１】
2013058351.tif 000003
【図２】
2013058351.tif 000004
【図３】
2013058351.tif 000005
【図４】
2013058351.tif 000006
【図５】
2013058351.tif 000007
【図６】
2013058351.tif 000008
【図７】
2013058351.tif 000009
【図８】
2013058351.tif 000010
【図９】
2013058351.tif 000011
【図１０】
2013058351.tif 000012
【図１１】
2013058351.tif 000013
【図１２】
2013058351.tif 000014
【図１３】
2013058351.tif 000015
【図１４】
2013058351.tif 000016
【図１５】
2013058351.tif 000017
【図１６】
2013058351.tif 000018
【図１７】
2013058351.tif 000019
【図１８】
2013058351.tif 000020
【図１９】
2013058351.tif 000021
【図２０】
2013058351.tif 000022
【図２１】
2013058351.tif 000023
【図２２】
2013058351.tif 000024
【図２３】
2013058351.tif 000025
【図２４】
2013058351.tif 000026
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
第１及び第２の主面を有する基板本体と、前記基板本体内において、前記第１の主面から前記第２の主面側に向かって設けられている複数の配線とを備える多層配線基板であって、
前記基板本体は、積層された複数の絶縁体層を有し、
前記配線は、前記複数の絶縁体層のそれぞれに設けられたビア導体を含み、
前記複数の配線の少なくとも一つにおいて、前記基板本体の前記第１の主面を構成している絶縁体層である第１の絶縁体層に設けられた前記ビア導体の径は、前記複数の絶縁体層の内の前記第１の絶縁体層以外の残りの複数の絶縁体層のいずれに設けられたビア導体の径よりも小さく、
前記第１の絶縁体層の厚みは、前記複数の絶縁体層の前記第１の絶縁体層以外の残りの複数の絶縁体層のそれぞれの厚みよりも小さく、かつ前記第１の絶縁体層以外の前記絶縁体層は同等の厚みを有し、
前記第１の主面には、隣り合う前記配線間に位置する凹部が設けられており、
前記各配線は、前記複数のビア導体が直接電気的に接続されることにより構成されている、多層配線基板。
【請求項２】
前記凹部は当該隣り合う配線のそれぞれが壁面に露出するように設けられている、請求項１に記載の多層配線基板。
【請求項３】
前記凹部は、前記配線の前記第１の主面の露出部を包囲するように設けられている、請求項１または２に記載の多層配線基板。
【請求項４】
前記第１の主面を構成している絶縁体層に設けられたビア導体は、前記絶縁体層の前記第１の主面とは反対側の表面から前記第１の主面側に向かって太くなる形状を有する部分を有する、請求項１〜３のいずれか一項に記載の多層配線基板。
【請求項５】
前記凹部は、前記第１の主面を構成している前記絶縁体層の前記第１の主面とは反対側の表面にまで至るように設けられている、請求項１〜４のいずれか一項に記載の多層配線基板。
【請求項６】
隣り合う前記配線間の距離は、前記第１の主面側から前記第２の主面側に向かって広がっている、請求項１〜５のいずれか一項に記載の多層配線基板。
【請求項７】
前記複数のビア導体の少なくともひとつは、前記第２の主面側から前記第１の主面側に向かって先細るテーパ状である、請求項１〜６のいずれか一項に記載の多層配線基板。
【請求項８】
前記ビア導体は、前記ビア導体の中心軸が前記絶縁体層の厚み方向に沿うように設けられている、請求項１〜７のいずれか一項に記載の多層配線基板。
【請求項９】
前記複数の配線の少なくともひとつは、厚み方向に隣り合う前記ビア導体の壁面の少なくとも一部が連続している部分を含む、請求項１〜８のいずれか一項に記載の多層配線基板。
【請求項１０】
前記複数の配線の少なくともひとつは、厚み方向に隣り合う前記ビア導体が全体として前記第２の主面側から前記第１の主面側に向けて先細るテーパ状となっている部分を含む、請求項１〜９のいずれか一項に記載の多層配線基板。
【請求項１１】
請求項１〜１０のいずれか一項に記載の多層配線基板を備えるプローブカード。
【国際調査報告】
2013058351.tif 000027
2013058351.tif 000028
2013058351.tif 000029
2013058351.tif 000030
2013058351.tif 000031
2013058351.tif 000032